(57)【要約】【課題】  使用者が比較的高温の混合水に触れて不快を感じることを防止することが可能な混合水栓装置を提供すること。【解決手段】  制御装置６０は、水温センサ５１が検出した混合水温が所定温度以上である場合には、初期の所定時間のみブザー５２を発音して警告を発する。したがって、比較的高温の混合水が吐出された場合には、使用者が温調ハンドルの設定温度を見落としていたとしても、比較的高温の混合水が吐出することを警告することができる。このようにして、使用者が比較的高温の混合水に触れて不快を感じることを防止することができる。【選択図】        図４
2005105529.tif 000002
【特許請求の範囲】
【請求項１】
湯と水とを混合して混合水とする湯水混合手段（２０）を備え、
前記湯水混合手段（２０）で混合された前記混合水を吐出する混合水栓装置（１０）であって、
前記混合水の温度を検出する混合水温検出手段（５１）と、
警告を発生する警告手段（５２）と、
前記混合水温検出手段（５１）が検出した温度が所定温度以上である場合には、前記警告手段（５２）を警告発生制御する制御手段（６０）とを備えることを特徴とする混合水栓装置。
【請求項２】
前記所定温度を変更する警告温度変更手段を備えることを特徴とする請求項１に記載の混合水栓装置。
【請求項３】
前記制御手段（６０）は、前記混合水温検出手段（５１）が検出した温度が前記所定温度以上となった場合には、初期の所定時間のみ警告を発生するように前記警告手段（５２）を制御することを特徴とする請求項１または請求項２に記載の混合水栓装置。
【請求項４】
前記制御手段（６０）は、前記混合水温検出手段（５１）が検出した温度が前記所定温度以上となっている場合には、所定時間間隔をあけて断続的に警告を発生するように前記警告手段（５２）を制御することを特徴とする請求項１または請求項２に記載の混合水栓装置。
【請求項５】
前記制御手段（６０）は、前記所定温度以上の温度域を複数の温度帯に分割し、前記混合水温検出手段（５１）が検出した温度が前記所定温度以上となった場合には、前記温度帯毎に異なる警告を発生するように前記警告手段（５２）を制御することを特徴とする請求項１ないし請求項４のいずれか１つに記載の混合水栓装置。
【請求項６】
前記複数の温度帯の分割温度を変更する分割温度変更手段を備えることを特徴とする請求項５に記載の混合水栓装置。
【請求項７】
前記制御手段（６０）は、前記混合水の吐出が中止された時点における前記混合水温検出手段（５１）が検出した温度を記憶し、この記憶された温度が所定温度以上である場合には、前記混合水の次回の吐出が開始されるときに、前記混合水温検出手段（５１）が検出した温度に係わらず、前記警告手段（５２）を警告発生制御することを特徴とする請求項１ないし請求項６のいずれか１つに記載の混合水栓装置。
【請求項８】
前記警告手段（１２ａ）は、表示手段（１２ａ）であり、
前記制御手段（６０）が前記警告発生制御をするときには、前記表示手段（１２ａ）の表示状態を変更することを特徴とする請求項１ないし請求項７のいずれか１つに記載の混合水栓装置。
【請求項９】
前記警告手段（５２）は、発音手段（５２）であり、
前記制御手段（６０）が前記警告発生制御をするときには、前記発音手段（５２）を発音させることを特徴とする請求項１ないし請求項７のいずれか１つに記載の混合水栓装置。
【請求項１０】
前記湯水混合手段（２０）の下流側に設けられ、前記混合水の水流を受けて発電する発電手段（４０）を備え、
前記警告手段（５２）は、前記発電手段（４０）が発電した電力により作動して警告を発生することを特徴とする請求項１ないし請求項９のいずれか１つに記載の混合水栓装置。
【発明の詳細な説明】
【技術分野】
【０００１】
本発明は、湯と水とを混合した混合水を供給する混合水栓装置に関する。
【背景技術】
【０００２】
従来から、供給された高温の湯と水とを混合し、混合水を吐出するための混合水栓装置が知られている。このような混合水栓装置では、温度調節手段である温度調節ハンドルを操作することで、所望温度の混合水を吐出できるようになっている（例えば、特許文献１参照。）。
【特許文献１】特開２００３−９００７２号公報
【発明の開示】
【発明が解決しようとする課題】
【０００３】
しかしながら、上記従来技術の混合水栓装置では、吐出される混合水の温度を知る手段は、温度調節ハンドルによって設定された温度を示す表示部のみである。したがって、温度調節ハンドルにより比較的高温が設定されているときに、使用者がこの表示部を注視することなく混合水の吐出操作をし、吐出された混合水に触れた場合、思いの外高温であることにより不快を感じることがあるという問題がある。
【０００４】
本発明は、上記点に鑑みてなされたものであって、使用者が比較的高温の混合水に触れて不快を感じることを防止することが可能な混合水栓装置を提供することを目的とする。
【課題を解決するための手段】
【０００５】
上記目的を達成するため、請求項１に記載の発明では、
湯と水とを混合して混合水とする湯水混合手段（２０）を備え、
湯水混合手段（２０）で混合された混合水を吐出する混合水栓装置（１０）であって、
混合水の温度を検出する混合水温検出手段（５１）と、
警告を発生する警告手段（５２）と、
混合水温検出手段（５１）が検出した温度が所定温度以上である場合には、警告手段（５２）を警告発生制御する制御手段（６０）とを備えることを特徴としている。
【０００６】
これによると、吐出される混合水の温度が所定温度以上である場合には、警告手段（５２）が警告を発し、使用者に所定温度以上である旨を告知することができる。したがって、使用者が比較的高温の混合水に触れて不快を感じることを防止することが可能である。
【０００７】
また、請求項２に記載の発明では、前記所定温度を変更する警告温度変更手段を備えることを特徴としている。
【０００８】
これによると、使用者の好み等に応じて、警告を発する基準となる温度を変更することができる。したがって、使用者が混合水に触れて不快を感じることを一層防止することが可能である。
【０００９】
また、請求項３に記載の発明では、制御手段（６０）は、混合水温検出手段（５１）が検出した温度が前記所定温度以上となった場合には、初期の所定時間のみ警告を発生するように警告手段（５２）を制御することを特徴としている。
【００１０】
これによると、所定温度以上の混合水が吐出された場合には、初期の所定時間のみ使用者に警告し、その後は警告を中止する。したがって、所定温度以上の混合水の吐出が長時間継続するような場合に、使用者等が警告を煩わしく感じることを防止することができる。
【００１１】
また、請求項４に記載の発明では、制御手段（６０）は、混合水温検出手段（５１）が検出した温度が前記所定温度以上となっている場合には、所定時間間隔をあけて断続的に警告を発生するように警告手段（５２）を制御することを特徴としている。
【００１２】
これによると、所定温度以上の混合水が吐出されている場合には、断続的に警告が行なわれ、所定温度以上の混合水が吐出されている間、警告が連続することがない。したがって、所定温度以上の混合水の吐出が長時間継続するような場合に、使用者等が警告を煩わしく感じることを防止することが可能であるとともに、所定温度以上の混合水吐出が継続していることを使用者等に告知することができる。
【００１３】
また、請求項５に記載の発明では、制御手段（６０）は、前記所定温度以上の温度域を複数の温度帯に分割し、混合水温検出手段（５１）が検出した温度が前記所定温度以上となった場合には、前記温度帯毎に異なる警告を発生するように警告手段（５２）を制御することを特徴としている。
【００１４】
これによると、吐出される混合水の温度が所定温度以上である場合には、警告手段（５２）が温度帯に応じた警告を発し、使用者に吐出される混合水の高温度合を告知することができる。したがって、使用者が混合水に触れて不快を感じることを確実に防止することが可能である。
【００１５】
また、請求項６に記載の発明では、前記複数の温度帯の分割温度を変更する分割温度変更手段を備えることを特徴としている。
【００１６】
これによると、使用者の好み等に応じて、警告内容を切り替える基準となる温度を変更することができる。したがって、使用者が混合水に触れて不快を感じることを一層確実に防止することが可能である。
【００１７】
また、請求項７に記載の発明では、制御手段（６０）は、混合水の吐出が中止された時点における混合水温検出手段（５１）が検出した温度を記憶し、この記憶された温度が所定温度以上である場合には、混合水の次回の吐出が開始されるときに、混合水温検出手段（５１）が検出した温度に係わらず、警告手段（５２）を警告発生制御することを特徴としている。
【００１８】
これによると、混合水の吐出開始時に、先回の吐出終了時の混合水の温度に基づいて、警告を発することができる。すなわち、混合水の吐出開始時に、吐出中止中に冷却された低温の湯が吐出された後に、湯水混合手段（２０）で混合された混合水が吐出されるような場合には、冷却された低温の湯が吐出されている時点で、その後に吐出される混合水について事前警告することが可能である。したがって、使用者が混合水に触れて不快を感じることを、より一層確実に防止することが可能である。
【００１９】
また、請求項８に記載の発明では、警告手段（１２ａ）は、表示手段（１２ａ）であり、制御手段（６０）が警告発生制御をするときには、表示手段（１２ａ）の表示状態を変更することを特徴としている。
【００２０】
これによると、吐出される混合水の温度が所定温度以上である場合には、使用者等の視覚に訴えて警告することができる。
【００２１】
また、請求項９に記載の発明では、警告手段（５２）は、発音手段（５２）であり、制御手段（６０）が警告発生制御をするときには、発音手段（５２）を発音させることを特徴としている。
【００２２】
これによると、吐出される混合水の温度が所定温度以上である場合には、使用者等の聴覚に訴えて警告することができる。
【００２３】
また、請求項１０に記載の発明では、湯水混合手段（２０）の下流側に設けられ、混合水の水流を受けて発電する発電手段（４０）を備え、警告手段（５２）は、発電手段（４０）が発電した電力により作動して警告を発生することを特徴としている。
【００２４】
これによると、警告手段（５２）を作動するために、混合水栓装置（１０）の外部から給電する必要がない。
【００２５】
なお、上記各手段に付した括弧内の符号は、後述する実施形態記載の具体的手段との対応関係を示す一例である。
【発明を実施するための最良の形態】
【００２６】
以下、本発明の実施の形態を図に基づいて説明する。
【００２７】
（第１の実施形態）
本発明を適用した第１の実施形態における定量止水機能を有する混合水栓装置である定量止水栓を図１ないし図５に基づいて説明する。本実施形態の定量止水栓１０は、浴槽に湯張りを行なう湯水混合栓方式の給水栓であり、予め設定した目標湯張り量になると自動的に止水する機能を有する水栓金具である。
【００２８】
図１は第１の実施形態における定量止水栓１０の外観を示す斜視図であり、図２は定量止水栓１０の概略構成を示す模式図であり、図３は定量止水栓本体１３の全体構成を示す構成図である。また、図４は制御手段である制御装置６０の全体構成を示す模式図である。
【００２９】
図１に示すように、本実施形態の定量止水栓１０は、浴室内の浴槽と洗い場とが隣接する壁面に取り付けるタイプであって、特に、浴槽内に湯張りを行なうときに、定量止水栓本体１３の上面に設けられた湯張り指示手段である操作パネル１２内の操作手段である吐水／止水スイッチ１２ｂを操作することで、吐水口１３ｂ（図３参照）より所望する湯温の混合水を自動で吐水して、予め設定された目標湯張り量分の湯張りを完了したときに自動止水できるようになっている。
【００３０】
本実施形態の定量止水栓１０は、湯水を混合する湯水混合栓本体１１と混合された混合水の水路を開閉する定量止水栓本体１３とを給水管１３ａを介して連結されている。また、湯水混合栓本体１１には、右端側に温度設定手段である温調ハンドル１４、正面側に流路切替ハンドル１５、左端側に流量調節ハンドル１９が備えられている。１６はシャワーホース、１７は冷水流水路、および図１では図示されていないが温水流水路１８が設けられている。
【００３１】
一方、定量止水栓本体１３には、お湯張り指示手段である操作パネル１２が上面側に設けられ、その操作パネル１２には、吐水する混合水の湯温を表示する表示手段である表示部１２ａと操作手段である吐水／止水スイッチ１２ｂとが設けられている。また、図中の１２ｃは操作部であり、この面に指などで押圧を掛けることにより、吐水／止水スイッチ１２ｂが操作され、電気的指示を制御手段である制御装置（後述する）６０に出力するようになっている。
【００３２】
ここで、湯水混合栓本体１１の概略構成を図２に基づいて説明する。図２に示すように、湯水混合栓本体１１には、湯と水を混合する湯水混合手段２０の他に、湯水混合手段２０により混合された混合水の流量を調節する流量調節手段８０と、混合された混合水を給水管１３ａまたはシャワーホース１６のいずれか一方に流路を切り替える流路切替手段７０とから構成されている。
【００３３】
また、湯水混合手段２０の上流端には、図示しない給水配管を介して上水（水道管）に接続され、常温の水が流入される冷水流入路１７と、図示しない給湯配管を介して給湯器などに接続され、給湯器から吐出される湯が流入する温水流入路１８とが備えられている。
【００３４】
そして、湯水混合手段２０は、内部にサーモワックスなどの感温体が収容されたサーモスタットからなる弁体（図示せず）、温調ハンドル１４の回転角を往復動に変換する回転／往復変換部材（図示せず）、および温調ハンドル１４から構成され、この温調ハンドル１４を回転させることで、混合水を所望する湯温に設定できるようにしている。これにより、冷水流入路１７および温水流入路１８から流入した湯と水とが所望する湯温となるように混合される。
【００３５】
また、流量調節手段８０には、流量調節ハンドル１９が設けられ、この流量調節ハンドル１９を回転させることで、流量調節手段８０による混合水の流量を調節できるようになっている。また、流路切替手段７０には、流路切替ハンドル１５が設けられ、この流路切替ハンドル１５を回すことにより、混合水を給水管１３ａまたはシャワーホース１６のいずれか一方に切り替えられるとともに、給水管１３ａまたはシャワーホース１６のいずれへも止水するストップ機能と、流量を調節する機能とを有している。
【００３６】
具体的には、流路切替ハンドル１５を中間の位置に合わせたときには、給水管１３ａおよびシャワーホース１６の双方が止水され、シャワー側へ一杯回すと最大の流量がシャワーホース１６から流出され、中間の位置方向に回すことで徐々に流量が減量される。そして、中間の位置からさらに回転させると、今度は給水管１３ａ側が開き始め、回転とともに流量が徐々に増量され、さらに一杯まで回転させると最大の流量が給水管１３ａから流出される。
【００３７】
これにより、給水管１３ａまたはシャワーホース１６から吐水される混合水は、使用者の好みに応じて吐水量が調整できる。そして、給水管１３ａに流出した混合水は定量吐水栓本体１３に流入する。
【００３８】
次に、定量止水栓本体１３の全体構成を図３に基づいて説明する。本実施形態の定量止水栓本体１３は、図３に示すように、給水管１３ａから吐水口１３ｂに至る水路１３ｃを開閉する流水開閉手段３０と、水車４０ａおよび発電機４０ｂからなり、水路１３ｃを流れる混合水の流水エネルギーにより水車４０ａを回転させて発電する発電手段４０と、この発電手段４０により発電された電力を蓄える電源手段である蓄電用コンデンサ５０と、水車４０ａの回転を検出して水路１３ｃを流れる混合水の吐水量を測定する吐水量測定手段４０ａ、４０ｂと、蓄電用コンデンサ５０により電源が供給されて流水開閉手段３０を制御する制御手段である制御装置６０から構成されている。
【００３９】
まず、流水開閉手段３０は、ソレノイドなどからなる電磁弁３０ａにより開閉動作を行なうパイロット弁３０ｂと、ダイヤフラムからなる主弁３０ｃとで構成され、電磁弁３０ａを通電させて、混合水の一部を導いたパイロット弁３０ｂを開弁することで、ダイヤフラムを作用させて主弁３０ｃを開弁させるようになっている。
【００４０】
これにより、電磁弁３０ａに付加する電力が小さくても、小さな動力で動作するパイロット弁３０ｂを通過した混合水の圧力により、ダイヤフラムを作用させて大きな動力を必要とする主弁３０ｃを動作させたものである。なお、電磁弁３０ａは制御装置６０により制御されてパイロット弁３０ｂを開弁／閉弁を行なうものである。
【００４１】
なお、図中に示す３０ｄは手動弁であって、使用者の人力により主弁３０ｃを開弁させる弁である。これは、後述する蓄電用コンデンサ５０に蓄えられた電力がないとき、または制御装置６０、電磁弁３０ａなどの機器故障時に主弁３０ｃを強制的に開弁させることができるようにしている。
【００４２】
発電手段４０は、吐水量測定手段である水車４０ａおよび発電機４０ｂとからなる。水車４０ａは、混合水の水路１３ｃ中に配設され、水路１３ｃを流れる混合水の水流を受け流水エネルギーを回転力に変換する。この回転力は発電機４０ｂに伝えられて電力を発電する。そして、発電された電力は、制御装置６０内に設けられた図示しない整流器により直流に変換され、さらに電圧調整された後、電源手段である蓄電用コンデンサ５０に蓄えるように構成されている。
【００４３】
また、本実施形態では、吐水口１３ｂから吐水する吐水量を測定するために、水車４０ａの回転により発生する発電機４０ｂの出力波形を制御装置６０に出力させて、その出力波形パルスをカウントすることで水車４０ａの回転数に換算して積算吐水量を算出するようにしている。
【００４４】
なお、ここで説明する吐水量は、混合水が吐水口１３ｂから吐水する流量Ｌ／分を示すものであって、吐水量と水車４０ａの回転数との関係は略比例関係となっているため、カウントした出力波形から回転数に変換させて吐水量が求められるように予め設定されている。
【００４５】
また、ここでは、水車４０ａの回転数を発電機４０ｂから発する出力波形から回転数信号を求めたが、これに限らず、水車４０ａの回転数を検出する回転センサを設けて回転数信号を制御装置６０に出力させても良い。また、図中に示す１３ｄは整流板であり吐水口１３ｂから吐水された水流を動圧から静圧に整流させて外部に吐水するようになっている。
【００４６】
次に、制御装置６０の構成について説明する。制御装置６０は、回路基板上に実装されたＣＰＵ、ＲＯＭ、ＲＡＭを中心とした周知のマイクロコンピュータ（マイコン）６１（図４参照）、およびそのマイコン６１に接続されるその他の電子部品から構成されて、操作パネル１２の下方に設けられている。
【００４７】
具体的には、図４に示すように、マイコン６１は、主弁３０ｃの開閉制御、発電機４０ｂからの出力波形に基づく吐水量の計測と演算手段、ブザー５２の制御、表示部１２ａの制御などを行なう制御プログラムの制御処理が設けられている。
【００４８】
６２は電磁弁駆動回路であり、マイコン６１からの指令信号に基づいて電磁弁３０ａを駆動させて主弁３０ｃを開閉する信号を出力する。６３は波形整形回路であり、発電機４０ｂから出力される出力波形をマイコン６１に入力するためのパルスに変換する。６４は直流電源回路であり、発電機４０ｂで発生した交流電圧を整流、平滑して直流に変換後定電圧ＩＣなどで電圧を安定化させる。
【００４９】
なお、混合水温検出手段である水温センサ５１は、水車４０ａの下流側（図３参照）に設けられ、吐水口１３ｂから吐出される混合水の湯温を検出して、その温度情報をマイコン６１に出力するように接続されている。また、警告手段であり発音手段であるブザー５２は、マイコン６１から指令に基づき音を発して使用者に報知するようになっている。
【００５０】
表示部１２ａは、制御装置６０を構成する回路基板上に設けられ、マイコン６１からの指令に基づき水温センサ５１により検出された温度を操作パネル１２に表示するように構成されている。
【００５１】
また、電磁弁３０ａは電磁弁駆動回路６２に接続され、発電機４０ｂは波形整形回路６３および直流電源回路６４に接続され、蓄電用コンデンサ５０は、一端が直流電源回路６４に接続され、他端がマイコン６１、ブザー５２等の電源となるように接続されている。
【００５２】
本実施形態の吐水／止水スイッチ１２ｂは、制御装置６０を構成する回路基板上に設けられ、押圧操作が行なわれる度に、マイコン６１に電気的指示を出力するようになっている。
【００５３】
次に、上記構成に基づき、本実施形態の定量止水栓１０の作動について説明する。
【００５４】
図５は、制御装置６０の概略制御動作を示すフローチャートである。
【００５５】
定量止水栓１０が混合水吐出中止状態にあるときにも、制御装置６０は、蓄電用コンデンサ５０から給電され、吐水／止水スイッチ１２ｂが押されたか否かを監視している（ステップＳ１００）。吐水／止水スイッチ１２ｂが押されたと判断した場合には、電磁弁３０ａを作動し主弁３０ｃを開弁する（ステップＳ１１０）。これにより、湯水混合手段２０で混合された混合水が吐出口１３ｂから吐出される。
【００５６】
ステップＳ１１０が実行されると、制御装置６０は、定量止水モードを設定する（ステップＳ１２０）。定量止水モードが設定されると、水路１３ｃを流れる混合水の水流を受けた水車４０ａの回転により発生する発電機４０ｂの出力波形を入力し、出力波形パルスをカウントすることで積算吐出量を算出する。そして、積算吐出量が予め設定された目標吐出量となるまで定量止水モードを継続する。
【００５７】
なお、このとき、混合水の水流により発電機４０ｂは発電を行い、直流電源回路６４を介して蓄電コンデンサ５０に蓄電を行なっている。
【００５８】
ステップＳ１２０において定量止水モードを設定すると、制御装置６０は、水温センサ５１からの温度情報に基づいて、水路１３ｃを流れ吐出口１３ｂから吐出される混合水の温度をモニタリングする（ステップＳ１３０）。そして、ステップＳ１３０で得た混合水温が所定温度Ｋ以上であるか否か判断する（ステップＳ１４０）。この判断基準となる温度Ｋは、初期（工場出荷時）には、４５℃に設定されており、図示しない警告温度変更手段を操作することにより、使用者等にも設定変更を行なうことができるようになっている。
【００５９】
ステップＳ１４０において、混合水温が温度Ｋ以上であると判断した場合には、既にブザー５２により警告を発したか否か判断する（ステップＳ１５０）。警告を発していない場合には、ブザー５２を一定時間（本例では３０秒間）作動させ警告音を発生させる（ステップＳ１６０）。
【００６０】
そして、ステップＳ１６０の実行を開始したら、水温センサ５１から入力した混合水温を表示部１２ａに表示する（ステップＳ１７０）。ステップＳ１４０で混合水温が温度Ｋ未満であると判断した場合、およびステップＳ１５０で既に警告を発したと判断した場合（既に警告を発していると判断した場合も含む）には、直接ステップＳ１７０に進み、混合水温の表示を行なう。
【００６１】
ステップＳ１７０を実行したら、吐水／止水スイッチ１２ｂが押されたか否かを判断する（ステップＳ１８０）。吐水／止水スイッチ１２ｂが押されていないと判断した場合には、ステップＳ１２０へリターンし、吐水／止水スイッチ１２ｂが押されたと判断した場合には、電磁弁３０ａを作動し主弁３０ｃを閉弁してステップＳ１００へリターンする。
【００６２】
すなわち、ステップＳ１８０では、吐水／止水スイッチ１２ｂの操作を監視し、スイッチ操作が行なわれるまでは、ステップＳ１２０〜ステップＳ１７０を継続する。そして、スイッチ操作が行なわれた場合、および積算吐出量が予め設定された目標吐出量となり定量止水モードが完了した場合に、混合水の吐出を中止しステップＳ１００へリターンする。
【００６３】
上述の構成および作動によれば、制御装置６０は、水温センサ５１が検出した混合水温が温度Ｋ以上となった場合には、初期の所定時間のみ警告を発生するようにブザー５２を発音する。したがって、比較的高温の混合水が吐出された場合には、使用者が温調ハンドル１４の設定温度を見落としていたとしても、比較的高温の混合水が吐出することを警告することができる。このようにして、使用者が比較的高温の混合水に触れて不快を感じることを防止することができる。
【００６４】
また、ブザー５２の発音による警告は、混合水吐出開始時の所定時間（本例では３０秒間）のみ行なわれ、その後は発音されないので、混合水吐出中ブザー５２が鳴り続けて使用者等が警告を煩わしく感じることを防止することができる。
【００６５】
また、警告を行なう基準となる温度Ｋは、図示しない警告温度変更手段を操作することにより、使用者の好み（温度感覚等）に応じて設定変更することができる。
【００６６】
さらに、本実施形態の定量止水栓１０は、混合水の水流により発電する発電手段４０と、発電手段４０により発電した電力を貯える蓄電用コンデンサ５０を備えており、ブザー５２を含む制御装置６０の作動に利用している。したがって、定量止水栓１０の外部から給電する必要がないので、構成を簡素化することができる。
【００６７】
（第２の実施形態）
次に、第２の実施形態について、図６に基づいて説明する。本第２の実施形態は、前述の第１の実施形態と比較して、ブザー５２の警告音発生パターンが異なる。なお、第１の実施形態と同様の部分については、同一の符号をつけ、その説明を省略する。
【００６８】
図６は、本実施形態の制御装置６０の概略制御動作を示すフローチャートであり、図５と同様の部分の一部は省略している。
【００６９】
図６に示すように、制御装置６０は、ステップＳ１４０において、混合水温が温度Ｋ以上であると判断した場合には、内蔵されたタイマーが所定時間Ｔ（本例では５分）未満であるか否か判断する（ステップＳ１５２）。タイマーが５分に達していると判断した場合には、ブザー５２を一定時間（本例では３０秒間）作動させ警告音を発生させる（ステップＳ１６０）。なお、タイマーには、初期５分が入力されている。すなわち、ステップＳ１５２において初回の判断が行なわれるときには、ステップＳ１６０へ進む。
【００７０】
ステップＳ１６０の実行を開始したら、タイマーをリセットし（ステップＳ１６２）、ステップＳ１７０へ進む。ステップＳ１５２でタイマーが５分未満であると判断した場合には、タイマーカウント（時間を積算）し（ステップＳ１６４）、ステップＳ１７０に進む。
【００７１】
上述の構成および作動によれば、制御装置６０は、水温センサ５１が検出した混合水温が温度Ｋ以上となった場合には、温度Ｋ以上である間、所定時間間隔をあけて（本例では５分毎に３０秒間）警告を発生するように断続的にブザー５２を発音する。したがって、比較的高温の混合水が吐出された場合には、使用者が温調ハンドル１４の設定温度を見落としていたとしても、比較的高温の混合水が吐出することを警告することができる。このようにして、使用者が比較的高温の混合水に触れて不快を感じることを防止することができる。
【００７２】
また、ブザー５２の発音による警告は、断続的に行なわれるので、混合水吐出中ブザー５２が鳴り続けて使用者等が警告を煩わしく感じることを防止することができる。さらに、比較的高温の混合水の吐出が継続している最中に定量止水栓１０に近づいた使用者等にも警告することができる。吐出継続中の警告を重視する場合には、ブザー５２の発音間隔を一層短くしてもかまわない。例えば、５秒毎に１秒間発音して警告するものであってもよい。
【００７３】
（第３の実施形態）
次に、第３の実施形態について、図７に基づいて説明する。本第３の実施形態は、前述の第１の実施形態と比較して、ブザー５２の警告音発生パターンが異なる。なお、第１の実施形態と同様の部分については、同一の符号をつけ、その説明を省略する。
【００７４】
図７は、本実施形態の制御装置６０の概略制御動作を示すフローチャートであり、図５と同様の部分の一部は省略している。
【００７５】
図７に示すように、制御装置６０は、ステップＳ１５０において、警告を発していないと判断した場合には、ステップＳ１３０で得た混合水温が所定温度Ｋｎ以上であるか否か判断する（ステップＳ１５４）。この判断基準となる温度Ｋｎは、初期（工場出荷時）には、Ｋより高い５５℃に設定されており、図示しない分割温度変更手段を操作することにより、使用者等にも設定変更を行なうことができるようになっている。
【００７６】
ステップＳ１５４において、混合水温が温度Ｋｎ未満であると判断した場合（本例では４５℃以上５５℃未満の場合）には、ブザー５２を一定時間（本例では３０秒間）第１パターンで作動させ警告音を発生させる（ステップＳ１６６）。第１パターンは、例えば、「ピッ、ピッ、ピッ」と断続的に鳴るパターンである。
【００７７】
ステップＳ１５４において、混合水温が温度Ｋｎ以上であると判断した場合（本例では５５℃以上の場合）には、ブザー５２を一定時間（本例では３０秒間）第２パターンで作動させ警告音を発生させる（ステップＳ１６８）。第２パターンは、例えば、「ピッピッピッピッピッ」と連続的に鳴るパターンである。
【００７８】
ステップＳ１６６およびステップＳ１６８のいずれかの実行を開始したら、ステップＳ１７０に進む。
【００７９】
上述の構成および作動によれば、制御装置６０は、水温センサ５１が検出した混合水温が温度Ｋ以上となった場合には、初期の所定時間のみ警告を発生するようにブザー５２を発音する。したがって、比較的高温の混合水が吐出された場合には、使用者が温調ハンドル１４の設定温度を見落としていたとしても、比較的高温の混合水が吐出することを警告することができる。このようにして、使用者が比較的高温の混合水に触れて不快を感じることを防止することができる。
【００８０】
また、水温センサ５１が検出した混合水温が温度Ｋ以上となった場合には、温度Ｋより高い温度Ｋｎにより分割される２つの温度帯毎に異なるパターンで警告する。したがって、使用者等に吐出される混合水の高温度合を知らせることができる。本実施形態では、温度Ｋ以上の温度域を２つの温度帯に分割していたが、３つ以上の温度帯に分割し、各温度帯毎に異なるパターンの警告するものであってもよい。
【００８１】
また、ブザー５２の発音による警告は、混合水吐出開始時の所定時間（本例では３０秒間）のみ行なわれ、その後は発音されないので、混合水吐出中ブザー５２が鳴り続けて使用者等が警告を煩わしく感じることを防止することができる。
【００８２】
また、警告を行なう基準となる温度Ｋおよび警告パターンを切り替える温度Ｋｎは、図示しない警告温度変更手段および分割温度変更手段を操作することにより、使用者の好み（温度感覚等）に応じて設定変更することができる。
【００８３】
（第４の実施形態）
次に、第４の実施形態について、図８に基づいて説明する。本第４の実施形態は、前述の第１の実施形態と比較して、混合水吐出開始時に事前警告を行なう点が異なる。なお、第１の実施形態と同様の部分については、同一の符号をつけ、その説明を省略する。
【００８４】
図８は、本実施形態の制御装置６０の概略制御動作を示すフローチャートであり、図５と同様の部分の一部は省略している。
【００８５】
図８に示すように、制御装置６０は、ステップＳ１８０において、吐水／止水スイッチ１２ｂが押されたと判断した場合には、警告フラグを０として初期化を行ない（ステップＳ２３０）、その直後にその時点での混合水の温度を記憶する（ステップＳ２４０）。そして、電磁弁３０ａを作動し主弁３０ｃを閉弁した後、ステップＳ１００へリターンする。
【００８６】
ステップＳ１００において、吐水／止水スイッチ１２ｂが押されたと判断した場合には、ステップＳ２４０において記憶した混合水温が所定温度Ｋ以上であるか否か判断する（ステップＳ２１０）。
【００８７】
ステップＳ２１０において、混合水温が温度Ｋ以上であると判断した場合には、ブザー５２を作動させ警告音を発生させる（ステップＳ２２０）。そして、その後ステップＳ１１０へ進む。また、ステップＳ２１０において、混合水温が温度Ｋ未満であると判断した場合には、ステップＳ２２０を実行せずにステップＳ１１０へ進む。ステップＳ２２０でのブザー５２の作動は、ステップＳ１４０の判断が実行されるまで継続される。
【００８８】
上述の構成および作動によれば、制御装置６０は、混合水の吐出開始時に、先回の吐出終了時の混合水の温度に基づいて、ブザー５２を作動し警告を発することができる。したがって、混合水の吐出開始時に、混合水の吐出を中止しステップＳ１００で吐水／止水スイッチ１２ｂの操作状態を監視している間に冷却された水路１３ｃ内等の低温の湯が吐出された後に、湯水混合手段２０で混合された比較的高温の混合水が吐出されるような場合に、吐水／止水スイッチ１２ｂが操作された時点で、その後に吐出される比較的高温の混合水について事前警告することが可能である。したがって、使用者が混合水に触れて不快を感じることを、より一層確実に防止することが可能である。
【００８９】
（他の実施形態）
上記各実施形態では、それぞれ、比較的高温の混合水が吐出されたときに、初期の所定時間のみ警告を行なうもの、断続的に警告を行なうもの、温度域を複数の温度帯に分割し温度帯毎に異なるパターンの警告を行なうもの、および事前警告を行なうものについて説明したが、これらを適宜組み合わせたものであってもよい。例えば、断続的に警告を行なうものにおいて分割した温度帯毎に異なるパターンの警告を行なうものであってもよい。
【００９０】
また、上記各実施形態では、警告手段は発音手段であるブザー５２であったが、警告手段は表示手段であってもよい。例えば、混合水の温度が所定温度未満のときには、表示部１２ａを連続点灯表示し、混合水の温度が所定温度以上のときには、表示部１２ａを点滅表示して警告するものであってもよい。また、表示部１２ａの周囲に別の発光表示手段を設け、混合水の温度が所定温度以上のときにのみ、点灯もしくは点滅させて警告を行なうものであってもよい。
【００９１】
また、上記各実施形態で説明した混合水栓装置は、定量止水タイプであるとともに、発電手段を備えた所謂自己発電タイプであったが、本発明は湯と水とを混合した混合水を吐出する混合水栓装置であれば、広く適用することが可能である。
【図面の簡単な説明】
【００９２】
【図１】本発明の第１の実施形態における定量止水栓１０の外観を示す斜視図である。
【図２】本発明の第１の実施形態における定量止水栓１０の概略構成を示す模式図である。
【図３】本発明の第１の実施形態における定量止水栓本体１３の全体構成を示す構成図である。
【図４】本発明の第１の実施形態における制御装置６０の全体構成を示すブロック図である。
【図５】本発明の第１の実施形態における制御装置６０の概略制御動作を示すフローチャートである。
【図６】本発明の第２の実施形態における制御装置６０の概略制御動作を示すフローチャートである。
【図７】本発明の第３の実施形態における制御装置６０の概略制御動作を示すフローチャートである。
【図８】本発明の第４の実施形態における制御装置６０の概略制御動作を示すフローチャートである。
【符号の説明】
【００９３】
１０  定量止水栓（混合水栓装置）
１２  操作パネル
１２ａ  表示部（他の実施形態における警告手段、表示手段）
１２ｂ  吐水／止水スイッチ
１４  温調ハンドル
２０  湯水混合手段
４０  発電手段
５１  水温センサ（混合水温検出手段）
５２  ブザー（警告手段、発音手段）
６０  制御装置（制御手段）
【図１】
2005105529.tif 000003
【図２】
2005105529.tif 000004
【図３】
2005105529.tif 000005
【図４】
2005105529.tif 000006
【図５】
2005105529.tif 000007
【図６】
2005105529.tif 000008
【図７】
2005105529.tif 000009
【図８】
2005105529.tif 000010